(57)【要約】      （修正有）【課題】綴じ込み操作が容易で体裁の良好な綴じ込みファイルを提供する。【解決手段】表表紙１と、裏表紙２と、背板部と該背板部の両縁から折り返された綴じ込み部６とで断面略コ字状に形成された背表紙３と、前記表裏表紙、綴じ込み部及び該綴じ込み部間に挟持された複数の被綴じ込み物１０の閉じ穴を貫通するように設けられた継綴具４と、を備え、前記表表紙及び裏表紙にはその後端縁から表側に折り返されるカバー片７がそれぞれ連設され、該カバー片によって前記表裏表紙に露呈する継綴具４を隠蔽するように構成する。【選択図】図１
0003102930.tif 000002
【実用新案登録請求の範囲】
【請求項１】
表表紙と、裏表紙と、背板部と該背板部の両縁から折り返された綴じ込み部とで断面略コ字状に形成された背表紙と、前記表裏表紙、綴じ込み部及び該綴じ込み部間に挟持された複数の被綴じ込み物の閉じ穴を貫通するように設けられた継綴具とを備え、前記表表紙及び裏表紙にはその後端縁から表側に折り返されるカバー片がそれぞれ連設され、該カバー片によって前記表裏表紙に露呈する継綴具を隠蔽するように構成されていることを特徴とする綴じ込みファイル。
【請求項２】
表表紙及び裏表紙の少なくとも何れか一方の表側には背面方向に開口部を有する袋部が設けられ、該開口部がカバー片で覆われるようになっていることを特徴とする請求項１に記載の綴じ込みファイル。
【請求項３】
被綴じ込み物の閉じ穴が継綴具通過可能なガイド溝を介して後端側に開口していて、綴じ込み操作時に前記被綴じ込み物を差し込んで綴じ込み得るようにしたことを特徴とする請求項１又は２に記載の綴じ込みファイル。
【考案の詳細な説明】
【技術分野】
【０００１】
本考案は、アルバムその他の綴じ込みファイルに関し、詳しくは、綴じ込み操作が容易で体裁の良好な綴じ込みファイルに関するものである。
【背景技術】
【０００２】
従来より、アルバム等の綴じ込み式のファイル構造として、後端部に折曲げ部を介して内側に折り曲げ可能な押え片を設けた表表紙及び裏表紙と、背板部と該背板部の上下縁から折り返された綴じ込み部とで断面略コ字状に形成された背表紙と、前記表裏表紙、前記背表紙の綴じ込み部及び該綴じ込み部間に挟持された複数の被綴じ込み物の閉じ穴を貫通するように設けられた継綴具とを備えたファイル構造が知られている。
【０００３】
この従来のものでは表表紙と裏表紙に設けた押さえ片をそれぞれ内側に折り返して背表紙の綴じ込み部に重ねて綴じ込む形式であるため、背表紙の綴じ込み部間に閉じられる被綴じ込み物全体の厚みに対し、背表紙の綴じ込み部とこれに重ねられる前記押さえ片との合計の厚さ分だけ分厚くなり、被綴じ込み物全体の厚みに対して表表紙及び裏表紙が水平にならない、という欠点がある。
【０００４】
そこで、この欠点を解消する手段として、前記背表紙の綴じ込み部及び表裏表紙の押さえ片の厚さ分に対応する厚さの厚紙を表裏表紙の内面側に貼り付けたものが提案されている（例えば、特許文献１参照）。
しかしながら、表表紙及び裏表紙の内面側に前記のような厚紙を貼り付ける手段では表表紙及び裏表紙が不必要に厚くなり、体裁の悪いものとなる欠点がある。
【特許文献１】実開昭６３−１２４１７５号公報
【考案の開示】
【考案が解決しようとする課題】
【０００５】
本考案は、綴じ込み操作が容易で体裁の良好な綴じ込みファイルを提供することを目的とする。
【課題を解決するための手段】
【０００６】
すなわち、本考案は、
（１）表表紙と、裏表紙と、背板部と該背板部の両縁から折り返された綴じ込み部とで断面略コ字状に形成された背表紙と、前記表裏表紙、綴じ込み部及び該綴じ込み部間に挟持された複数の被綴じ込み物の閉じ穴を貫通するように設けられた継綴具とを備え、前記表表紙及び裏表紙にはその後端縁から表側に折り返されるカバー片がそれぞれ連設され、該カバー片によって前記表裏表紙に露呈する継綴具を隠蔽するように構成されていることを特徴とする綴じ込みファイル、
（２）表表紙及び裏表紙の少なくとも何れか一方の表側には背面方向に開口部を有する袋部が設けられ、該開口部がカバー片で覆われるようになっていることを特徴とする前記（１）の綴じ込みファイル、及び
（３）被綴じ込み物の閉じ穴が継綴具通過可能なガイド溝を介して後端側に開口していて、綴じ込み操作時に前記被綴じ込み物を差し込んで綴じ込み得るようにしたことを特徴とする前記（１）又は（２）の綴じ込みファイル、
を提供する。
【考案の効果】
【０００７】
本考案によれば、表表紙及び裏表紙に、その後端縁から表側に折り返されるカバー片をそれぞれ連設し、該カバー片によって前記表裏表紙に露呈する継綴具を隠蔽するように構成することで、綴じ込み操作性に優れ、表表紙及び裏表紙を不必要に厚くすることなく体裁の良好な綴じ込みファイルを提供できる。
また、表表紙又は裏表紙のカバー片を開け、継綴具を緩めて被綴じ込み物の綴じ込み、あるいは追加又は交換等の綴じ込み操作を容易に行うことができる。
【考案を実施するための最良の形態】
【０００８】
図１は、本考案に係る綴じ込みファイルの一実施例の要部を示す一部除去した側面図であり、１は表表紙、２は裏表紙、３は背表紙、４は継綴具である。表表紙１及び裏表紙２は厚紙等の心材を入れて布表装され、後部側に折り曲げ部５を介して綴じ込み部６が形成され、更に該綴じ込み部６の後端には表側に折り返されるカバー片７が連設される。
【０００９】
前記綴じ込み部６には心材（図示しない）が入れられ、強度をもたせている。
図２は、表表紙の綴じ込み部及びカバー片を拡大して示す部分拡大斜視図である。表表紙１の表面側には背面側に開口部８ａを有する袋部８が設けられ、所要のものが収納できるようになっている。そして、前記カバー片７の長さ（幅）は前記開口部８ａを覆い得る十分な長さとする。前記カバー片７の先端は、図１に示すように、心材を入れて若干厚くし、前記開口部８ａから抜けにくくすることが好ましい。裏表紙２の表面側にも、表表紙１と同様に、背面側に開口部８ａ’を有する袋部８が設けられている。
【００１０】
図３は、綴じ込みファイルの全体を、被綴じ込み物を省略して概略的に示す一部切欠した斜視図である。図３に示すように、カバー片７を閉じた状態で保持するために、カバー片７の端縁裏面側と袋部８の表面側にそれぞれ面ファスナー９を取り付けてもよい。
【００１１】
前記背表紙３は布又は強度のある素材からなり、背板部３ａと該背板部３ａの上下縁から折り曲げられた綴じ込み部３ｂ，３ｂ’とで断面略コ字状に形成され、綴じ込み部３ｂ，３ｂ’間に被綴じ込み物１０の綴じ代部１１を挟持して該閉じ代部１１に形成した綴じ穴１２に前記継綴具４を挿通することにより綴じ込まれる。
【００１２】
前記継綴具４は従来から一般に使用されている雌雄ビス型綴じ込み金具が用いられ、雄ねじを有する平ビス４ａと端部内周部に雌ねじを形成したパイプ部４ｂを有する平ビス４ａ’とからなっていて、表表紙１及び裏表紙２の綴じ込み部６に形成された閉じ穴、背表紙３の綴じ込み部３ｂに形成された綴じ穴及び被綴じ込み物１０の綴じ代部１１に形成された綴じ穴１２にパイプ部４ｂを挿通し、前記綴じ込み部６の表面側から平ビス４ａをねじ込んで固定する。
【００１３】
図４は、被綴じ込み物の斜視図である。被綴じ込み物１０としては、アルバム台紙、袋状フィルム、プリント紙などの綴じ込み可能なもの全てが含まれる。図４に示す実施例では、紙葉１３の端縁を、アセテートフィルム、トレーシングペーパー等からなるメンディングテープなどの粘着フィルム１４の端縁で挟着し、粘着フィルム１４間にはポリプロピレンなどの補強紙片１５をジョイント部分として内装して前記綴じ代部１１を形成した。なお、粘着フィルム１４を２枚に分割して、被綴じ込み物１０と補強紙片１５を表面と裏面から挟着して接続することもできる。
【００１４】
図５は、綴じ穴１２及びガイド溝１２ａの形状を示す図であり、（ａ）は上部又は下部、（ｂ）は下部又は上部の綴じ穴の形状を示す。ガイド溝１２ａは、継綴具４が通過可能な幅とする。この実施例では、ガイド溝１２ａの一方（上部）は、綴じ代部１１の後端縁に対して、若干の角度をつけて斜交するように開口して設けられており、他方（下部）は、通常の丸穴からなる綴じ穴１２の中心から、綴じ代部１１の後端縁に直交するように開口して設けられている。
なお、ガイド溝１２ａは、上部、下部とも丸穴の中心から綴じ代部１１の後端縁に直交するように設けてもよいし、中心から位置をずらせて設けてもよい。
【００１５】
図６は、図５に示す綴じ穴１２及びガイド溝１２ａを有する被綴じ込み物１０を綴じ込む様子を示す図である。被綴じ込み物１０は、まず上部ガイド溝１２ａを上方向から継綴上部具４に入れ込み、上部継綴具４を中心として回転するようにして、下部綴じ穴１２を下部継綴具４に入れ込めばよい。この構成により、前記平ビス４ａを取り外さなくても、緩めれば、被綴じ込み物１０を差込形式でファイリングできるようにした。
【産業上の利用可能性】
【００１６】
本考案の綴じ込みファイルは、アルバムだけでなく種々のものをファイリングするバインダーとして多様な用途にも適用できる。
【図面の簡単な説明】
【００１７】
【図１】綴じ込みファイルの実施例を示す要部の一部除去した側面図である。
【図２】表表紙の綴じ込み部及びカバー片を拡大して示す部分拡大斜視図である。
【図３】綴じ込みファイルの全体を、被綴じ込み物を省略して概略的に示す一部切欠した斜視図である。
【図４】被綴じ込み物の斜視図である。
【図５】綴じ穴及びガイド溝の形状を示す図である。
【図６】被綴じ込み物を綴じ込む様子を示す図である。
【符号の説明】
【００１８】
１    表表紙
２    裏表紙
３    背表紙
４    継綴具
５    折り曲げ部
６    綴じ込み部
７    カバー片
８    袋部
９    面ファスナー
１０    被綴じ込み物
１１    綴じ代部
１２    綴じ穴
【図１】
0003102930.tif 000003
【図２】
0003102930.tif 000004
【図３】
0003102930.tif 000005
【図４】
0003102930.tif 000006
【図５】
0003102930.tif 000007
【図６】
0003102930.tif 000008